【事件の表示】
　特許第２６７０９４６号「自動演奏装置」の特許に対する特許異議の申立てについて、次のとおり決定する。
【結論】
　訂正を認める。
　特許第２６７０９４６号の特許を維持する。
【理由】
１．手続の経緯
　本件特許第２６７０９４６号発明は、昭和５７年４月１９日に出願された実願昭５７−５６６１３号を変更してなされた特許出願である特願平４−２３５３２９号の一部を分割して特許出願されたものであって、平成９年７月１１日にその特許の設定登録がなされ、その後、小野省一より特許異議の申立がなされ、取消理由通知がなされその指定期間内である平成１０年１０月２７日に訂正請求がなされた後、訂正拒絶理由通知がなされ、これに対して、手続補正書が提出されたものである。
２．訂正の適否
（１）補正後の訂正の内容▲１▼特許明細書の特許請求の範囲第１項を下記のとおりに訂正する。
『１．複数の演奏曲に対応する複数曲分の自動演奏データが記憶され、自動演奏装置本体に着脱可能に接続される記憶手段であって、各曲の自動演奏データの記憶位置を表わす位置データが記憶されている位置データ領域をも持ち、前記各演奏曲に対応する自動演奏データは当該自動演奏データにもとづいて行なう自動演奏に関するリズムデー夕を含むものと、
　前記複数の演奏曲中から自動演奏を実行する演奏曲を指定する演奏曲指定手段と、
　指定された演奏曲に対応するアドレス信号を本装置から出力し、この出力されたアドレス信号に基づき、前記記憶手段内の前記位置データ領域を参照し、指定された自動演奏データの記憶位置を検出する検出手段と、
　前記検出手段によって検出された記憶位置に基づき、前記記憶手段に記憶された複数曲分の自動演奏データの中から前記演奏曲指定手段によって指定された演奏曲に対応する自動演奏データを読出す読出手段と、
　前記読出手段によって読出された自動演奏データに含まれるリズムデータに基づいて演奏手段によって行なわれる自動演奏に関するリズムの設定を行なう設定制御手段と、
　前記読出手段によって読出された自動演奏デー夕に基づいて自動演奏を行う演奏手段であって、前記設定制御手段によって設定されたリズムに対応するリズム楽器音を発生するものと
を備えたことを特徴とする自動演奏装置。』
▲２▼同明細書の段落【０００５】を、以下の内容に訂正する。
『【課題を解決するための手段】
　この目的を達成するため、この発明に係る自動演奏装置は、複数の演奏曲に対応する複数曲分の自動演奏デ−タが記憶され、自動演奏装置本体に着脱可能に接続される記憶手段であって、各曲の自動演奏データの記憶位置を表わす位置データが記憶されている位置データ領域をも持ち、前記各演奏曲に対応する自動演奏データは当該自動演奏データにもとづいて行なう自動演奏に関するリズムデー夕を含むものと、前記複数の演奏曲中から自動演奏を実行する演奏曲を指定する演奏曲指定手段と、指定された演奏曲に対応するアドレス信号を本装置から出力し、この出力されたアドレス信号に基づき、前記記憶手段内の前記位置データ領域を参照し、指定された自動演奏データの記憶位置を検出する検出手段と、前記検出手段によって検出された記憶位置に基づき、前記記憶手段に記憶された複数曲分の自動演奏データの中から前記演奏曲指定手段によって指定された演奏曲に対応する自動演奏データを読出す読出手段と、前記読出手段によって読出された自動演奏データに含まれるリズムデータに基づいて演奏手段によって行なわれる自動演奏に関するリズムの設定を行なう設定制御手段と、前記読出手段によって読出された自動演奏データに基づいて自動演奏を行う演奏手段であって、前記設定制御手段によって設定されたリズムに対応するリズム楽器音を発生するものとを備えたことを特徴とする。』
▲３▼同明細書の段落【０００８】を、以下の内容に訂正する。
『【作用】
　上記構成によれば、記憶手段は、複数曲分の自動演奏データを記憶するとともに、それぞれの曲の記憶位置を表わす記憶位置データをも記憶している。
自動演奏データをアクセスするときは、まず記憶位置データを読みだしその記憶位置の自動演奏データを読出す。したがって、迅速なアクセスを行なうことができる。
また、記憶手段に記憶されている各演奏曲ごとの自動演奏データは、自動演奏に関するリズムを設定するためのリズムデー夕を含んでいる。演奏曲が指定されると、自動演奏データが読出され、該自動演奏データに含まれるリズムデータも読出され、そのリズムデータにしたがって自動演奏に関するリズムが設定される。』
▲４▼同明細書の段落【００１９】を、以下の内容に訂正する。
『また、ＲＯＭ１から出力されたリズムデータはリズムレジスタ１６を介して切替制御回路１７に加えられる。切替制御回路１７は前記切替制御回路１５と同様にリズムレジスタ１６からの入力があると初期セットされ、リズムレジスタ１６から加わるリズムデータを出力し、その後パネル面のリズム選択スイッチ８が操作されると、その操作に基づくリズムデー夕を前記リズムデータに優先して切り替え出力する。』
▲５▼同明細書の段落【００２７】を、以下の内容に訂正する。
『【発明の効果】
　以上説明したように、この発明によれば、記憶手段の中に複数曲分の自動演奏データを記憶するとともに、それぞれの曲の記憶位置を表わす記憶位置データを記憶した位置データ領域をも設けたので、指定された演奏曲に速やかにアクセスすることができる。また、各演奏曲に対応する自動演奏データ中にリズムデータを含むので、演奏曲が指定されればそれに対応して自動演奏データが読出され、該自動演奏データ中のリズムデータも読み出され、そのリズムデータによって自動演奏のリズムが演奏曲毎に設定される。したがって、変化に富んだ豊かな自動演奏を行なうことができる。特に、着脱可能な記憶手段に各曲の自動演奏データ（リズムデータを含む）を記憶するので、曲ごとに最適なリズムデー夕を記憶させておくことができ、他の自動演奏装置（本発明に係るもの）にその記憶手段を接続すれば常に最適なリズム環境で各曲の自動演奏を再現することができる。』
（２）訂正の適否
▲１▼訂正の目的の適否及び拡張・変更の存否
　前記訂正▲１▼は、特許請求の範囲の減縮及び明瞭でない記載の釈明を目的とするものである。
　前記訂正▲２▼〜▲５▼は、訂正▲１▼に対応したものであって、明瞭でない記載の釈明を目的とするものである。
　そして、前記訂正▲１▼〜▲５▼は、いずれも、実質上特許請求の範囲を拡張し、又は変更するものではない。
▲２▼独立特許要件の判断
ア．訂正後の発明の要旨
　訂正後の発明（以下、訂正後発明という）の要旨は、補正後の訂正請求書に添付された訂正明細書及び図面の記載からみて、その特許請求の範囲に記載された前記訂正の内容▲１▼に記載したとおりのものである。
イ．引用刊行物及びその記載
　これに対して、当審が通知した訂正拒絶理由で引用した刊行物は、以下のとおりである。
・刊行物１　特開昭５４−１３６３１６号公報（異議申立人の提出した（以下同じ）甲第１号証刊行物）
・刊行物２　特開昭５７−５４９９１号公報
・刊行物３　実願昭５４−１３４０５号（実開昭５５−１１３５９５号公報）の出願当初の明細書および図面のマイクロフィルム（甲第３号証刊行物）
　刊行物１には、「本発明は楽符入力操作を、分かりやすくすると同時に、和声部入力操作を著しく簡便にし、実用性の高い自動演奏装置を提供せん」としてなされた、「自動演奏装置」に関する発明が記載されており、更に、以下の記載がある。
・「第１０図記載の操作キーのうち、「旋律入力」のキーを押し、次いで入れるべき曲の曲番に対応する数値キー（１２０）を押す。（本実施例自動演奏装置は複数の曲を入力できる構成とする為、旋律部及び和声部によりなる曲に適当曲番を指定しなければならない。）押されたキーは数値情報としてコンピュータに与えられ、この数値情報による指定（すなわち、「旋律入力」と「曲番」の指定）により、コンピュータはＲＯＭ（３２０）に予め記憶されているプログラムに従い記憶素子ＲＡＭ（３３０）の指定された曲番の旋律部のデータを入れるべき先頭番地を決定し、その先頭番地をＲＡＭ（３３０）の中に定めた曲番先頭番地監視領域の中の指定された曲番の旋律部データ先頭番地記憶領域に記憶する。
　第９図はコンピュータ（３００）の記憶素子ＲＡＭ（３００）のメモリマップであり、前述の曲番先頭番地監視領域が一定番地に割り当てられており、また、入力される旋律部及び和声部の入力データが一連のデータとして、該ＲＡＭ（３３０）に記憶される。第９図において、一区切りの小文字の英字が入った領域は８ビットの記憶素子であり、小文字の英字は、８ビットの２進情報（即ち１６進数２桁）を意味する。例えば「旋律入力」のキーが押された後曲番を示す数値キー″１″が押されたとすると、第１曲旋律部入力データの先頭番地が決定され、第９図ａとｂに、第１曲旋律部入力データの先頭番地ＭＮが入力される。・・・」
・「「入力ＥＮＤ」のキーが押されると、１曲の終りを示す１６進数の数字「２Ｅ」「００」が、第１曲旋律部データの最終番地ＪＫ番地・・・　・・・が記憶されている次の番地に　・・・　［ｍ＝０］と記憶されると同時に第１曲旋律部データ入力の終りを示す［２Ｅ］の記憶された番地（ＪＫ番地）の次の番地、即ち（ＪＫ＋２）番地が次に入力されるデータの先頭番地として、コンピュータ（３００）に記憶される。」
・「第１０図操作キー（１７０）の「演奏」のキーと曲番を示す数値キー（１２０）の「１」のキーが押されると、曲番１の楽符を、コンピュータ（３００）により、演奏処理し、音源回路・・・を駆動し、自動演奏を行う。」
　刊行物２には、自動演奏データにリズムデータを含み、このリズムデータに基づいて演奏手段によるリズムの設定をし、リズム楽器音を発生する自動演奏装置が記載されている。
　刊行物３には、「曲を記憶したメモリ装置の内容を読出し、その読出出力により楽音制御回路を制御して読出出力に対応した音の高さ時間長の発振周波数出力を送出し、これをスピーカに加えて演奏するようにした電子式自動演奏装置において、その外部より着脱できる位置に上記メモリ装置の接続用ソケットを設け、メモリ装置の着脱交換により所望の曲の演奏を可能とした電子式自動演奏装置。」（実用新案登録請求の範囲）なる発明が記載されている。
ウ．他の刊行物
　異議申立人が甲第２号証刊行物として提出した特開昭５６−１０２８９１号公報（以下、刊行物４という）には、「メモリに記憶された音符、休符データを順次読み出し、読み出したデータに基づいて発音回路を制御して自動演奏を行なう」、「特に自動演奏途中ですみやかに演奏音色の変更ができるようにした」自動演奏装置に関する発明が記載され、更に、以下の記載がある。
・「１１は自動演奏曲を指定するための曲指定スイッチであり、その状態はトライステートバッファ１６でＣＰＵ１に読み取られる。第１図の実施例では、演奏曲目を４曲用意し、そのうちいずれかを選択できるようにしている。第１図のスイッチ状態では第１曲目が選択されている。・・・
　　　　　　　　　　・・・途中略・・・
　第１図のメモリ回路２中にある楽譜データの例を第２図に示す。楽譜データはメモリアドレスの１００番地（１６進数で表記）から１０ＦＦ番地に渡り、１００〜１０３番地に各面の初期音色の音色コードを、１０４〜４ＦＦ番地、５００〜８ＦＦ番地、９００〜ＣＦＦ番地、Ｄ００〜１０ＦＦ番地にそれぞれ第１曲、第２曲、第３曲、第４曲の音休符データが記憶されている。メモリアドレスの１００〜１１１番地の具体的内容を第３図に示す。第３図のデータは、第９図に示す如き楽譜を自動演奏するためのものである。
　アドレスの１００，１０１，１０２，１０３番地にはそれぞれ第１、第２、第３、第４曲目の初期音色の音色コードがデータＤ３〜Ｄ０の４ビットに格納されている。アドレスの１０４番地以降は第１曲目の音休符データが格納されている。１つの音休符データは２ワードで表わされる。
　　　　　　　　　・・・途中略・・・
　休符データの方は、１０６，１０７番地のように、第１ワード目はオール″０″であり、第２ワード目のＤ３〜Ｄ０の４ビットに音符長コードが格納されている。休符データの第２ワード目のＤ７〜Ｄ４の４ビットは、アドレス１０Ｅ、１０Ｆ番地の休符のようにこの休符の前後で演奏音色が変わる場合、この休符以降の音符に指定される音色の音色コードが格納され、音色変更指定のない普通の休符の場合はオール″０″が格納されている。また、音符、休符がそれ以上ない場合はそれ以降のデータは全て″０″が格納されている。」
エ．対比・判断
　本件訂正後発明と前記刊行物１記載の発明とを対比する。
　いずれの発明も、記憶装置に複数曲分の演奏データを記憶し、曲の１つを選択して、自動演奏するものであって、記憶装置に複数曲分の曲番に対応した先頭アドレスデータを格納管理する点で共通するものである。
　しかしながら、刊行物１記載の発明は、本件訂正後発明が有する自動演奏のための演奏データを記憶した記憶装置を自動演奏装置本体に着脱可能とする点、リズムデータを自動演奏データに含ませる点、及び「演奏曲指定手段」によって「指定された演奏曲に対応するアドレス信号を本装置から出力し、この出力されたアドレス信号に基づき、記憶手段内の位置データ領域を参照し、指定された自動演奏データの記憶位置を検出する検出手段」を
を有していない点で、訂正後発明と相違するものである。
　相違点について、検討すると、自動演奏装置において、演奏データを記憶した記憶装置を自動演奏装置本体に着脱可能とする点、及び自動演奏データにリズムデー夕を含ませる点は、それぞれ、前記刊行物２、３に記載されており、刊行物１記載のものにおいても、必要に応じて適宜に採用し得るものと認められる。
　しかしながら、前記「検出手段」については、いずれの刊行物にも、その記載は見いだせず、しかも、前記刊行物をいかように組み合わせても、導出することは困難である。
　そして、訂正後発明は、明細書記載の所期の効果を奏するものである。
　結局、刊行物１〜刊行物４記載の発明をいかように組み合わせても訂正後発明を導出することは困難であり、訂正後発明は、前記各刊行物に記載された発明に基づいて、当業者が容易に発明をすることができたということはできない。
　又、他に訂正後発明を、特許出願の際独立して特許を受けることができない発明とするにたる理由を発見しない。
　したがって、訂正後発明は、特許出願の際独立して特許を受けることができない発明であるとすることはできない。
　以上のとおりであるから、前記訂正請求は、特許法第１２０条の４第２項の規定及び同条第３項で準用する第１２６条第２〜４項の規定に適合するので、当該訂正を認める。
３．特許異議の申立についての判断
（１）申立の理由の概要
　申立人は、甲第１〜３号証刊行物（それぞれ、前記刊行物１、刊行物４、及び刊行物２に対応）を提出し、本件特許発明は、各刊行物記載の発明に基づいて当業者が容易に発明をすることができたものであるとして、本件特許は、特許法第２９条第２項の規定に違反してなされたものであるから、特許を取り消すべきである旨主張している。
（２）本件特許発明の要旨
　本件特許発明の要旨は、訂正明細書及び図面の記載からみて、訂正後の特許請求の範囲に記載された前記（２．（１）▲１▼）したとおりのものである。
（２）甲各号証刊行物の記載
　いずれも、前記したとおりである。
（３）判断
　本件訂正後発明が前記各刊行物記載の発明に基づいて当業者が容易に発明をすることができたものとすることができないことは前記したとおりである。
　又、他に本件特許を取り消すべき理由を発見しない。
　よって、結論のとおり決定する。
【異議決定日】
平成１１年５月２０日（１９９９．５．２０）
【訂正の要旨】
訂正の要旨
▲１▼特許第２６７０９４６号明細書（以下、同じ）の特許請求の範囲の記載を特許請求の範囲の減縮を目的として、下記のとおりに訂正する。
　『１．複数の演奏曲に対応する複数曲分の自動演奏データが記憶され、自動演奏装置本体に着脱可能に接続される記憶手段であって、各曲の自動演奏データの記憶位置を表わす位置データが記憶されている位置データ領域をも持ち、前記各演奏曲に対応する自動演奏データは当該自動演奏データにもとづいて行なう自動演奏に関するリズムデータを含むものと、
　前記複数の演奏曲中から自動演奏を実行する演奏曲を指定する演奏曲指定手段と、
　指定された演奏曲に対応するアドレス信号を本装置から出力し、この出力されたアドレス信号に基づき、前記記憶手段内の前記位置データ領域を参照し、指定された自動演奏データの記憶位置を検出する検出手段と、
　前記検出手段によって検出された記憶位置に基づき、前記記憶手段に記憶された複数曲分の自動演奏データの中から前記演奏曲指定手段によって指定された演奏曲に対応する自動演奏データを読出す読出手段と、
　前記読出手段によって読出された自動演奏データに含まれるリズムデータに基づいて演奏手段によって行なわれる自動演奏に関するリズムの設定を行なう設定制御手段と、
　前記読出手段によって読出された自動演奏データに基づいて自動演奏を行う演奏手段であって、前記設定制御手段によって設定されたリズムに対応するリズム楽器音を発生するものと
　を備えたことを特徴とする自動演奏装置。』
▲２▼明細書の段落【０００５】を、明瞭でない記載の釈明を目的として、以下の内容に訂正する。『【課題を解決するための手段】
　この目的を達成するため、この発明に係る自動演奏装置は、複数の演奏曲に対応する複数曲分の自動演奏データが記憶され、自動演奏装置本体に着脱可能　に接続される記憶手段であって、各曲の自動演奏データの記憶位置を表わす位　置データが記憶されている位置データ領域をも持ち、前記各演奏曲に対応する　自動演奏データは当該自動演奏データにもとづいて行なう自動演奏に関するリズムデータを含むものと、前記複数の演奏曲中から自動演奏を実行する演奏曲　を指定する演奏曲指定手段と、指定された演奏曲に対応するアドレス信号を本　装置から出力し、この出力されたアドレス信号に基づき、前記記憶手段内の前　記位置デー夕領域を参照し、指定された自動演奏データの記憶位置を検出する　検出手段と、前記検出手段によって検出された記憶位置に基づき、前記記憶手　段に記憶された複数曲分の自動演奏データの中から前記演奏曲指定手段によって指定された演奏曲に対応する自動演奏データを読出す読出手段と、前記読出　手段によって読出された自動演奏データに含まれるリズムデータに基づいて演奏手段によって行なわれる自動演奏に関するリズムの設定を行なう設定制御手段と、前記続出手段によって読出された自動演奏データに基づいて自動演奏を行う演奏手段であって、前記設定制御手段によって設定されたリズムに対応するリズム楽器音を発生するものとを備えたことを特徴とする。』
▲３▼明細書の段落【０００８】を、明瞭でない記載の釈明を目的として、以下の内容に訂正する。
　『【作用】
　上記構成によれば、記憶手段は、複数曲分の自動演奏データを記憶するとともに、それぞれの曲の記憶位置を表わす記憶位置データをも記憶している。自動演奏データをアクセスするときは、まず記憶位置データを読みだしその記憶位置の自動演奏データを読出す。したがって、迅速なアクセスを行なうことができる。
また、記憶手段に記憶されている各演奏曲ごとの自動演奏データは、自動演奏に関するリズムを設定するためのリズムデータを含んでいる。演奏曲が指定されると、自動演奏データが読出され、該自動演奏デー夕に含まれるリズムデータも読出され、そのリズムデータにしたがって自動演奏に関するリズムが設定される。』
▲４▼明細書の段落【００１９】を、明瞭でない記載の釈明を目的として、以下の内容に訂正する。
『また、ＲＯＭ１から出力されたリズムデー夕はリズムレジスタ１６を介して切替制御回路１７に加えられる。切替制御回路１７は前記切替制御回路１５と同様にリズムレジスタ１６からの入力があると初期セットされ、リズムレジスタ１６がら加わるリズムデータを出力し、その後パネル面のリズム選択スイッチ８が操作されると、その操作に基づくリズムデータを前記リズムデータに優先して切り替え出力する。』
▲５▼明細書の段落【００２７】を、明瞭でない記載の釈明を目的として、以下の内容に訂正する。
『【発明の効果】
　以上説明したように、この発明によれば、記憶手段の中に複数曲分の自動演奏データを記憶するとともに、それぞれの曲の記憶位置を表わす記憶位置データを記憶した位置データ領域をも設けたので、指定された演奏曲に速やかにアクセスすることができる。また、各演奏曲に対応する自動演奏データ中にリズムデー夕を含むので、演奏曲が指定されればそれに対応して自動演奏データが読出され、該自動演奏データ中のリズムデータも読み出され、そのリズムデータによって自動演奏のリズムが演奏曲毎に設定される。したがって、変化に富んだ豊かな自動演奏を行なうことができる。特に、着脱可能な記憶手段に各曲の自動演奏データ（リズムデータを含む）を記憶するので、曲ごとに最適なリズムデータを記憶させておくことができ、他の自動演奏装置（本発明に係るもの）にその記憶手段を接続すれば常に最適なリズム環境で各曲の自動演奏を再現することができる。』
（５４）　【発明の名称】
自動演奏装置
（５７）【特許請求の範囲】
　　　【０００１】
　　【産業上の利用分野】
　本発明は、自動演奏データを読出して自動演奏する自動演奏装置に関し、特に、複数の演奏曲を記憶再生する際に演奏曲毎に適切な演奏環境を得るための構成に関する。
　　　【０００２】
　　【従来の技術】
　従来のこの種の自動演奏装置として、特開昭５６−１４６１９１号公報には、複数曲分の自動演奏データを記憶し、任意の位置からメロディを演奏できるようにしたメロディ発生装置が開示されている。
　　　【０００３】
　　【発明が解決しようとする課題】
　しかし、前述のメロディ発生装置では、任意の位置から再生することはできるが、ある曲を指定したときその曲の自動演奏データの読出しスタートアドレスをどのように得るかについては考慮されていない。また、前述のメロディ発生装置では、音色を変更することができないので、複数のメロディを演奏するのに常に同じ音色で演奏されてしまう。また、メロディ以外の演奏音を発生することもないので、これらが相まって、自動演奏が単調になるという問題があった。
　　　【０００４】
　この発明は、上述の問題に鑑みてなされたもので、所望の演奏曲の自動演奏データに正確かつ迅速にアクセスできるようにするとともに、単調にならず豊かな自動演奏を行なうことができる自動演奏装置を提供することを目的とする。
　　　【０００５】
　　【課題を解決するための手段】
　この目的を達成するため、この発明に係る自動演奏装置は、複数の演奏曲に対応する複数曲分の自動演奏データが記憶され、自動演奏装置本体に着脱可能に接続される記憶手段であって、各曲の自動演奏データの記憶位置を表わす位置データが記憶されている位置データ領域をも持ち、前記各演奏曲に対応する自動演奏データは当該自動演奏データにもとづいて行なう自動演奏に関す
るリ
指定された演奏曲に対応するアドレス信号を本装置から出力し、この出力されたアドレス信号に基づき、
た自
るリ
て演
るリ
であって、前記設定制御手段によって設定されたリズムに対応するリズム楽器音を発生するもの
　　　【０００６】
　　　【０００７】
　　　【０００８】
　　【作用】
　上記構成によれば、記憶手段は、複数曲分の自動演奏データを記憶するとともに、それぞれの曲の記憶位置を表わす記憶位置データをも記憶している。自動演奏データをアクセスするときは、まず記憶位置データを読みだしその記憶位置の自動演奏データを読出す。したがって、迅速なアクセスを行なうことができる。また、記憶手段に記憶されている各演奏曲ごとの自動演奏データは、自動演奏に関す
るリ
定す
のリ
るリ
のリ
るリ
定さ
　　　【０００９】
　　【実施例】
　以下、この発明の一実施例を添付図面を参照して詳細に説明する。
　　　【００１０】
　図１は、この発明の一実施例に係る電子鍵盤楽器の斜視図である。同図において、複数曲分の自動演奏データを記憶したＲＯＭ１は、ＲＯＭボックス２に着脱可能になっている。また、電子鍵盤楽器のパネル面には、曲目の選択を行なうときのみ投入される曲名選択スイッチ３、自動演奏のスタートを制御するスタートスイッチ４、自動演奏の音色やリズムを表示する液晶表示器５、複数の鍵を有する鍵盤６、鍵盤６の各鍵毎に配設され点灯することによって押下鍵を表示する押鍵表示器７、リズム選択スイッチ８、および音色選択スイッチ９等が設けられている。また、鍵盤６の各鍵には、例えば左端の鍵から順に、１番、２番、…というように曲番号が付されている（図示せず）。
　　　【００１１】
　図２は、複数曲分の自動演奏データを記憶したＲＯＭ１内のデ−タフォ−マット１ａを示す。このＲＯＭ１には、楽曲の進行順に記憶された自動演奏デ−タが各曲毎に記憶された記憶領域１−１，１−２，…，１−ｎと、各曲の自動演奏デ−タの先頭番地を表わすアドレスデ−タを記憶する曲名先頭アドレス領域１−０とが設けられている。
　　　【００１２】
　図３は、図１の電子鍵盤楽器のブロック図を示す。この実施例の電子鍵盤楽器において、鍵盤６は、通常のマニアル演奏のときに用いられるとともに、自動演奏の曲目の選択のときにも用いられる。ＲＯＭ１には、前述したように、各曲の自動演奏の先頭番地を示すアドレスデ−タと複数曲分の自動演奏デ−タとが記憶されている。なお、図示しないが、このＲＯＭ１にはＲＯＭ専用の楽譜（本）がペア−になって用意されており、この楽譜にはＲＯＭｌに記憶されている曲に対応する曲番号が記入されている。
　　　【００１３】
　ここで、曲目の選択を行なう場合は、曲名選択スイッチ３を押下しながら鍵盤６で演奏しようとする曲の曲番号の付された鍵を押下する。すると、鍵盤６からの曲番データが曲先頭アドレス記憶アドレス形成回路（曲番データを入力するとその曲の自動演奏データが格納されている領域の先頭アドレスを保持しているＲＯＭ１上のアドレスを出力する回路）１０に供給され、この回路１０から曲番デ−タに対応したアドレス信号ＡＤ１がアドレスセレクタ１１のＡ入力端子に供給される。セレクタ１１は曲名選択スイッチ３によってＡ入力が選択されているので、アドレス信号ＡＤ１が選択され、ＲＯＭ１の曲名先頭アドレス領域１−０（図２）から鍵盤６で選択した曲の先頭アドレス信号が読み出され、曲名選択スイッチ３によってロ−ド状態となっているラッチ回路１２に記憶される。
　　　【００１４】
　次に、スタートスイッチ４を投入すると、ラッチ回路１２に記憶されている先頭アドレス信号がアドレス制御回路１３に取込まれる。このときセレクタ１１は、曲名選択スイッチ３がすでにオフとなっているのでＢ入力を選択し、アドレス制御回路１３に記憶されている先頭アドレス信号ＡＤ２をＲＯＭ１に供給する。
　　　【００１５】
　ＲＯＭ１は、アドレス制御回路１３からの先頭アドレス信号によって指定されたアドレスに基づき表１に示すように自動演奏データをＲＯＭ１の所定の自動演奏データ領域から出力する。
　　　【００１６】
【表１】
　　　【００１７】
　なお、各曲の自動演奏データの最初のアドレス位置には自動演奏音の音色およびリズムを示す音色データおよびリズムデー夕が記憶されており、続いてメロディ音、和音等の音高および符長を示す音高データおよび符長データが記憶されている。
　　　【００１８】
　ＲＯＭ１から出力された音色データは音色レジスタ１４を介して切替制御回路１５に加えられる。切替制御回路１５は音色レジスタ１４からの入力があると初期セットされ、音色レジスタ１４から加わる音色データを出力し、その後パネル面の音色選択スイッチ９が操作されると、その操作に基づく音色データを前記音色データに優先して切替え出力する。
　　　【００１９】
　また、ＲＯＭ１から出力されたリズムデータはリズムレジスタ１６を介して切替制御回路１７に加えられる。切替制御回路１７は前記切替制御回路１５と同様にリズムレジスタ１６からの入力があると初期セットされ、リズムレジスタ１６から加わる
リズム
　　　【００２０】
　切替制御回路１５から出力される音色データは表示制御回路１８および音色制御回路１９に加えられ、切替制御回路１７から出力されるリズムデータは表示制御回路１８およびリズム選択制御回路２０に加えられる。表示制御回路１８は入力する音色データおよびリズムデータに基づいて音色データおよびリズムデータに対応する文字（例えば、音色データの場合はオルガン、ピアノ、フルート等、リズムデータの場合はワルツ、マーチ、ロック等の文字）を示すドット情報を液晶表示器５に出力し、液晶表示器５は入力するドット情報に基づいて音色およびリズムを液晶表示する。
　　　【００２１】
　また、ＲＯＭ１から出力された音高データは音高レジスタ２１を介して押鍵表示器７および楽音形成回路２２に加えられる。押鍵表示器７は各鍵毎に配設されたランプから構成され、入力する音高データに対応するランプを点灯することによって押下すべき鍵を表示する。
　　　【００２２】
　楽音形成回路２２は、各種音高に対応する音源信号を発生する音源部、前記音源信号を開閉制御する開閉部および音色付加部等を具えており、前記開閉部において音高レジスタ２１を介して入力する音高データおよび鍵盤６での押鍵によって入力する鍵情報に基づき前記音源部から発生される音源信号のうちの対応するものを選択開閉するとともに、この選択された音源信号を音色付加部を通して所望の音色を付与すべく楽音信号を形成する。なお、音色付加部は音色制御回路１９からの出力によってオルガン、ピアノ、フルート、バイオリン等の各種音色を付与し得るようになっている。
　　　【００２３】
　楽音形成回路２２によって形成された楽音信号は増幅器２３を介してスピーカ２４に加わり、ここで楽音として発音される。
　　　【００２４】
　また、オートリズム装置２５は自動リズム演奏のために用いられるもので、リズム選択制御回路２０により選択されたリズムに対応して各種リズム楽器音を示すリズム音信号をテンポ発振器２６から発振されるテンポクロツクＴＣＬに応じて発生する。このリズム音信号も上記と同様に増幅器２３によって増幅され、スピーカ２４によってリズム音として発音される。
　　　【００２５】
　一方、第２音以降の自動演奏データの読み出しタイミングは符長カウンタ２４に出力によって制御される。すなわち、符長カウンタ２７はテンポ発振器２６から発振されるテンポクロツクＴＣＬを計数し、その計数値がＲＯＭ１から入力する符長データと一致したとき、出力端子ＥＱから符長一致信号（パルス信号）を出力するとともにリセットする。アドレス制御回路１３はそのカウントアップ入力Ｕに前記符長一致信号が加えられるとカウントアップし、ＲＯＭ１から次のアドレスの自動演奏データを読み出すアドレス信号を出力する。
　　　【００２６】
　なお、符長カウンタ２７におけるテンポグロックＴＣＬの計数開始時点は鍵盤６で最初の押鍵がなされた時点にすることが好ましい。また、楽音形成回路２２における音高レジスタ２１を介して入力する音高データに関連する楽音信号の形成も上記と同時点にすることが好ましい。
　　　【００２７】
　　【発明の効果】
　以上説明したように、この発明によれば、記憶手段の中に複数曲分の自動演奏データを記憶するとともに、それぞれの曲の記憶位置を表わす記憶位置データを記憶した位置データ領域をも設けたので、指定された演奏曲に速やかにアクセスすることができる。また、各演奏曲に対応する自動演奏データ中
にリ
のリ
のリ
定さ
（リ
なリ
なリ
【図面の簡単な説明】
　　【図１】　この発明が適用される電子鍵盤楽器の一例を示す斜視図
　　【図２】　この発明に利用される自動演奏データの一例を示す図
　　【図３】　この発明による電子鍵盤楽器の一実施例を示すブロック図
　　【符号の説明】　１…記憶装置（ＲＯＭ）、３…曲名選択スイッチ、５…液晶表示器、６…鍵盤、７…押鍵表示器、８…リズム選択スイッチ、９…音色選択スイッチ、１２…ラッチ回路、１３…アドレス制御回路、１５，１７…切替制御回路、１８…表示制御回路、１９…音色制御回路、２０…リズム選択制御回路、２２…楽音形成回路、２５…オートリズム装置、２６…テンポ発振器、２７…符長カウンタ。